(57)【要約】【課題】ネットワークを介して接続された複数の情報処理装置（ＰＣ）の間で送信可能／不可能なＰＣを判断できるネットワーク情報処理装置を提供する。【解決手段】図６は共有フォルダ管理テーブルの一例で、ＩＰアドレス、ネットワークに接続されているＰＣの識別名、共有フォルダの名称、ネットワークに接続されているＰＣの電源の状態（電源ＯＮかＯＦＦか）、電源ＯＦＦとされた時刻、データ送信又は送信しようとした回数等の情報が記録される。共有フォルダを所定時間Ｔ１  経過毎に検索、前回検索結果と今回検索結果を比較し、未登録の共有フォルダの登録、ＰＣ電源状態の表示更新、送信先ＰＣの繰り返しアクセスが所定時間を越えたとき、管理テーブルからそのＰＣ記録を削除する等の処理がなされ、送信可能／不可能なＰＣについての判断情報が提供される。【選択図】        図６
2004348337.tif 000002
【特許請求の範囲】
【請求項１】
ネットワークを介して接続されている複数の情報処理装置の共有フォルダを検索する検索手段と、
前記共有フォルダの検索結果を記憶する記憶手段と、
前回の共有フォルダの検索結果と今回の共有フォルダの検索結果とを比較する比較手段と、
前記比較手段による比較結果が異なるとき、その異なる状態を表示する表示手段と
を備えることを特徴とするネットワーク情報処理装置。
【請求項２】
前記ネットワーク情報処理装置は、更に原稿を読み取り、その読取データを出力する原稿読取手段と、前記共有フォルダへ前記読取データを送信する読取データ送信手段とを備えることを特徴とする請求項１記載のネットワーク情報処理装置。
【請求項３】
前記表示手段は、前記検索手段による共有フォルダの検索の結果、ネットワークを介して接続されている情報処理装置が今回は電源が遮断状態であると判定されたとき、その事実を表示することを特徴とする請求項１記載のネットワーク情報処理装置。
【請求項４】
前記検索手段による共有フォルダの検索は、第１の所定時間毎に実行されることを特徴とする請求項１乃至請求項３のいずれかに記載のネットワーク情報処理装置。
【請求項５】
前記ネットワーク情報処理装置は、前記検索手段により検索不可能な共有フォルダが発見されたときは、その共有フォルダについての検索不可能になった時刻を記憶する記憶手段を備え、第２の所定時間連続して前記検索手段による共有フォルダの検索が不可能になったときは、その検索不可能な共有フォルダの検索及び前記表示手段による表示を中止することを特徴とする請求項４に記載のネットワーク情報処理装置。
【発明の詳細な説明】
【０００１】
【発明の属する技術分野】
この発明は、ネットワークを介して接続されている情報処理装置（パーソナルコンピュータ）の共有フォルダを自動的に検索し、表示するネットワーク情報処理装置に関する。
【０００２】
【従来の技術】
情報処理装置（パーソナルコンピュータ、以下、「ＰＣ」と言う）に対し、プリンタ機能、ファクシミリ機能、スキャナ機能を備えた複合装置（以下、「ＭＦＰ」という）を接続して使用することが広く行われており、また、複数のＰＣとＭＦＰとをネットワークに接続して使用することも広く行われている（特許文献１参照）。
【０００３】
また、このようなネットワークシステムでは、ネットワークに接続された複数のＰＣがデータを共有し、それぞれのＰＣがネットワークを介して共有するデータをフォルダから読み出して使用し、或いは共有するデータを伝送してフォルダに格納する等の情報処理が可能である。
【０００４】
このようなデータを記録したファイルを分類整理した保管場所をフォルダと呼んでいる。そして、他の使用者とネットワークを介してフォルダを共有し、そこに格納されたデータを使用することが可能な場合には、そのようなフォルダを「共有フォルダ」と呼んでいる。以下説明する本願発明においても、共有フォルダはこのような意味において使用する。
【０００５】
【特許文献１】
特開２０００−０９２１２１号公報。
【０００６】
【発明が解決しようとする課題】
複数のＰＣをネットワークに接続し、共有フォルダを持つネットワークシステムでは、例えばあるＭＦＰから特定のＰＣ（以下、宛先ＰＣという）に向けてデータを送信しようとしたとき、前回のデータ送信の際は宛先ＰＣが電源オンの状態でデータ送信が達成できたのに、今回の送信の際は宛先ＰＣが電源オフの状態にあり、データ送信が達成できないという場合がある。或いは、前回のデータ送信の際は宛先ＰＣがネットワークに接続されており、電源オンの状態でデータ送信が達成できたのに、今回の送信の際は宛先ＰＣがネットワークから切り離されていて、データ送信が達成できないという場合がある。
【０００７】
このように、宛先ＰＣが電源オフの状態にあったり、宛先ＰＣがネットワークから切り離されているときは、そのような宛先ＰＣをデータ送信先として選択することができないという不都合があった。
【０００８】
また、予め複数の宛先ＰＣを登録しておき、データ送信を行うときに宛先ＰＣをディスプレイに表示して選択するように構成されているときは、宛先ＰＣを選択する際、宛先ＰＣがデータ受信可能な状態にあるか否かが分からないという不都合があった。
【０００９】
【課題を解決するための手段】
この発明は上記課題を解決するもので、請求項１の発明は、ネットワークを介して接続されている複数の情報処理装置の共有フォルダを検索する検索手段と、前記共有フォルダの検索結果を記憶する記憶手段と、前回の共有フォルダの検索結果と今回の共有フォルダの検索結果とを比較する比較手段と、前記比較手段による比較結果が異なるとき、その異なる状態を表示する表示手段とを備えることを特徴とするネットワーク情報処理装置である。
【００１０】
そして、前記ネットワーク情報処理装置は、更に原稿を読み取り、その読取データを出力する原稿読取手段と、前記共有フォルダへ前記読取データを送信する読取データ送信手段とを備える。
【００１１】
また、前記表示手段は、前記検索手段による共有フォルダの検索の結果、ネットワークを介して接続されている情報処理装置が今回は電源が遮断状態であると判定されたとき、その事実を表示する。
【００１２】
さらに、前記検索手段による共有フォルダの検索は、第１の所定時間毎に実行される。
【００１３】
前記ネットワーク情報処理装置は、前記検索手段により検索不可能な共有フォルダが発見されたときは、その共有フォルダについての検索不可能になった時刻を記憶する記憶手段を備え、第２の所定時間連続して前記検索手段による共有フォルダの検索が不可能になったときは、その検索不可能な共有フォルダの検索及び表示手段による表示を中止する。
【００１４】
【発明の実施の形態】
この発明の実施の形態について説明する。図１は、この発明の実施の形態のネットワーク情報処理装置の構成を説明するブロック図である。ネットワーク情報処理装置は、画像情報を読み取るスキャナ１２などを備えた複合装置（以下、「ＭＦＰ」という）１１と、ＭＦＰ１１に通信回線（ＬＡＮなど）で構成されたネットワークに接続された複数のＰＣ１５、ＰＣ１６、ＰＣ１７から構成される。ここではＭＦＰ１１に３台のＰＣ（ＰＣ１５、ＰＣ１６、ＰＣ１７）が接続されているが、接続台数はこれに限られるものではない。なお、複合装置（ＭＦＰ）は、プリンタ機能、ファクシミリ機能、スキャナ機能、等の複数の機能を備えた情報処理装置である。
【００１５】
上記ＰＣには、ＭＦＰ１１のほか、通常のＰＣやプリンタサーバとして機能するＰＣ等も含まれる。また、通信回線は有線、無線、赤外光を利用した通信手段のいずれであってもよい。
【００１６】
ＭＦＰ１１は、その中に備えられたスキャナ１２で読み取って作成したデータを、記憶装置内部の共有フォルダに格納すると共に、共有フォルダの書誌的事項、属性などを記録した共有フォルダ管理テーブルが作成される。ＭＦＰ１１自身、また他のＰＣ１５、ＰＣ１６、ＰＣ１７も共有フォルダを有し、ネットワークを介して互いに共有フォルダに格納されたデータを使用することができる。
【００１７】
後述するように、共有フォルダの書誌的事項、属性などは、共有フォルダ管理テーブルに登録されるので、使用者がある共有フォルダに格納されているデータファイルを使用するときは、ＭＦＰ１１の共有フォルダ管理テーブルを参照することで、所望の共有フォルダの書誌的事項、属性などを知ることができる。
【００１８】
図２は、ＭＦＰ１１の構成を説明するブロック図で、ＭＦＰ１１は、システムコントローラ２１、画像処理制御部２２、画像処理部２３、時計２４、スキャナ制御部２５、記憶装置２６、メモリ２７、通信部２８、操作／表示部２９などから構成され、システムコントローラ２１、画像処理制御部２２、画像処理部２３、時計２４、スキャナ制御部２５は、ＭＦＰ１１のＣＰＵで実行される機能をブロックとして示している。また、記憶装置２６、メモリ２７、通信部２８、操作／表示部２９はシステムコントローラ２１で制御される構成部材である。
【００１９】
システムコントローラ２１は、画像処理、共有フォルダの検索および検索結果の表示など全体の制御を行うものである。時計２４は、システムコントローラ２１の制御情報の１つとしてクロック信号を計数して現在時刻を計時する。
【００２０】
スキャナ制御部２５は、接続されたスキャナ１２の動作を制御するもので、スキャナ１２で読み取られた画像データは、画像処理制御部２２で制御される画像処理部２３で所定の処理が行われ、その画像データは記憶装置２６の内部に形成された共有フォルダに送信され格納される。また、記憶装置２６の内部に形成された共有フォルダに格納された画像データは、ネットワークに接続されているＰＣから読み出すことが可能である。
【００２１】
メモリ２７は共有フォルダ管理テーブルの記憶、その他の情報の記憶保持に使用される。通信部２８は、ネットワークに接続されているＰＣとの間の通信を制御する。
【００２２】
また、操作／表示部２９は、操作部と表示部を備え、操作部はスキャナ１２による画像読取り動作の指示、その他の指令やデータ入力に使用される。また、表示部は共有フォルダ管理テーブルの内容の表示、その他の表示に使用される。
【００２３】
次に、ＭＦＰ１１のシステムコントローラ２１で実行される、共有フォルダの運用処理について説明する。
【００２４】
まず、共有フォルダ管理テーブルの概要を説明する。共有フォルダ管理テーブルの一例を図６に示す。共有フォルダ管理テーブルは、ＩＰアドレス、ネットワークに接続されているＰＣの識別名、共有フォルダの名称、ネットワークに接続されているＰＣの電源の状態（電源ＯＮかＯＦＦか）、そのＰＣの電源がＯＦＦとされた時刻、共有フォルダへデータ送信又は送信しようとした回数等の情報が記録されている。
【００２５】
共有フォルダ管理テーブルへの登録処理の概要を説明する。共有フォルダを所定の時間Ｔ１  が経過する毎に（検索周期Ｔ１  ）で検索する。そして、前回の検索結果と今回の検索結果を比較する。
【００２６】
検索結果を比較して、新規に作成されたデータに関する新規の共有フォルダが作成されたときは、その共有フォルダは共有フォルダ管理テーブルに未登録の状態にある。そこで、前回の検索結果では未登録の共有フォルダが今回の検索で発見されたときは、その共有フォルダに関する管理データを共有フォルダ管理テーブルに追加し、ＰＣの電源の状態をＯＮに設定し、電源ＯＦＦの時刻を消去（零に設定）し、ＰＣへのデータ送信回数を零に設定する。
【００２７】
前回の検索では共有フォルダ管理テーブルに登録済みの共有フォルダについて検索できたが、今回検索したときは共有フォルダを検索することができなかったときは、そのＰＣは電源ＯＦＦの状態にあり、ネットワークを介してそのＰＣにアクセスすることができない。そこで、共有フォルダ管理テーブルの記録を調べて、ＰＣの電源の状態が電源ＯＮに設定されているときは、ＰＣの電源の状態をＯＦＦに訂正し、電源ＯＦＦの時刻として現在時刻を記録する。
【００２８】
前回検索で登録済みの共有フォルダについて、今回の検索でも共有ファイルが検索されたときは、そのＰＣは電源ＯＮの状態にあるが、共有フォルダ管理テーブルの記録を調べて、ＰＣの電源の状態が電源ＯＦＦに設定されているときはＰＣの電源の状態をＯＮに訂正し、電源ＯＦＦの時刻を消去する。
【００２９】
次に、共有フォルダ管理テーブルからの削除処理の概要を説明する。共有フォルダ管理テーブルからの削除処理では、ネットワークに接続されているＰＣの共有フォルダを、所定の時間Ｔ１  が経過する毎に検索する。そして、前回の検索結果と今回の検索結果を比較する。
【００３０】
検索結果を比較して、検索された共有データが記録されたファイルが共有フォルダ管理テーブルに登録されていないときは、その共有フォルダを持つＰＣは電源ＯＦＦの状態にあり、ネットワークを介してそのＰＣにアクセスすることができない。そこで、共有フォルダ管理テーブルの記録を調べて、ＰＣの電源の状態が電源ＯＮに設定されているときは、ＰＣの電源の状態をＯＦＦに訂正し、電源ＯＦＦの時刻として現在時刻を記録する。
【００３１】
一方、データを特定のＰＣに送信するときは、前記した共有フォルダ管理テーブルを検索するときの所定の時間Ｔ１  毎の検索（検索周期Ｔ１  ）よりも短い時間Ｔ２  毎の検索（検索周期Ｔ２  ）で送信先ＰＣをアクセスし、データを送信する。このとき送信先ＰＣが電源ＯＦＦの状態であると、送信先ＰＣをアクセスすることができずデータ送信ができないが、送信できるまで繰り返し送信先ＰＣをアクセスし、データ送信を実行しようと試みる。
【００３２】
そこで、データ送信先を選択した回数が所定回数ｎを越えたとき、送信先ＰＣが電源ＯＦＦとされた時刻ＴＯＦＦ  から現在時刻ＴＮＯＷ  までの経過時間（ＴＮＯＷ  −ＴＯＦＦ  ）が、所定時間ＴＥ  （ＴＥ  ＝Ｔ２  ×ｎ）を越えているとき、即ち、（ＴＮＯＷ  −ＴＯＦＦ  ）＞（ＴＥ  ＝Ｔ２  ×ｎ）であれば、共有フォルダ管理テーブルからそのＰＣの記録を削除する処理を行う。
【００３３】
即ち、データ送信先を選択した回数が所定回数ｎを越えたとき、送信先ＰＣが電源ＯＦＦとされた時刻ＴＯＦＦ  から現在時刻ＴＮＯＷ  までの経過時間が、所定時間ＴＥ  よりも長時間になったときは、送信先ＰＣへ送信しようとする試みを取り止め、共有フォルダ管理テーブルからそのＰＣの記録を削除する処理を行う。
【００３４】
次に、共有フォルダ管理テーブルの表示について説明する。
【００３５】
（１）送信先ＰＣを一覧表示をするとき：
この場合は、共有フォルダ管理テーブルを、所定の時間Ｔ１  （検索周期Ｔ１  ）毎に検索し、共有フォルダ管理テーブルを読み出す。そして、電源ＯＮの状態にあるＰＣについては、共有フォルダ管理テーブルを表示する操作／表示部２９の表示を、通常の表示とは異なるカラー、例えば青色で表示する。また、電源ＯＦＦの状態にあるＰＣについては、共有フォルダ管理テーブルを表示する操作／表示部２９の表示を、通常の表示とは異なるカラー、例えばグレーで表示する。
【００３６】
（２）送信先ＰＣの選択表示をするとき：
この場合は、共有フォルダ管理テーブル上のＰＣに送信先ＰＣとして選択中であることを記憶させる。そして、電源ＯＦＦの状態にあるＰＣが選択された場合は、共有フォルダ管理テーブルを表示する操作／表示部２９に、送信先ＰＣとして選択されたＰＣに送信操作を継続した場合に予想される結果を表示する。例えば、「送信できません」又は「送信が遅延します」などの表示をする。
【００３７】
（３）検索周期Ｔ２  で共有フォルダ管理テーブルを検索するとき：
共有フォルダ管理テーブルを検索するときの所定の時間Ｔ１  毎の検索（検索周期Ｔ１  ）よりも短い時間Ｔ２  毎の検索（検索周期Ｔ２  ）で送信先として選択されたＰＣの共有フォルダ管理テーブルを検索する。
【００３８】
送信先ＰＣが発見されたときは、そのＰＣの共有フォルダ管理テーブルの記録が電源ＯＦＦであれば、送信を実行し、共有フォルダ管理テーブル上のＰＣに送信先ＰＣとして選択中であることの記憶を消去する。
【００３９】
送信先ＰＣが発見されたときは、そのＰＣの共有フォルダ管理テーブルの記録が電源ＯＮであれば、送信を実行する。
【００４０】
送信先ＰＣが発見されなかったときは、そのＰＣの共有フォルダ管理テーブルの記録が電源ＯＮであれば、このまま送信を継続した場合に予想される結果を表示する。例えば、「送信できません」又は「送信が遅延します」などの表示をする。
【００４１】
図３は、ＭＦＰ１１で実行される共有フォルダの管理テーブルへの登録処理及び削除処理を説明するフローチャートである。
【００４２】
まず、ネットワークに接続されているＰＣの共有フォルダを検索する検索周期である第１の所定の時間を検索周期計時タイマに設定し、計時を開始（ステップＰ１１）、所定の時間経過（検索周期の経過）を待つ（ステップＰ１２）。
【００４３】
所定の検索周期が経過したときは、ネットワークに接続されているＰＣから共有フォルダ管理データを収集する（ステップＰ１３）。
【００４４】
共有フォルダ管理データの共有フォルダ管理テーブルへの登録処理を実行し（ステップＰ１４）、さらに、ネットワークに接続されているＰＣが複数回の検索で依然として電源ＯＦＦの場合、そのＰＣの共有フォルダ管理データを共有フォルダ管理テーブルから削除する処理を実行する（ステップＰ１５）。
【００４５】
共有フォルダの管理テーブル処理を終了指令が出ているか否かを判定し（ステップＰ１６）、終了しないときはステップＰ１１に戻り、管理テーブル処理を継続する。また、終了指令が出ているときは処理を終了して主ルーチンに戻る。
【００４６】
図４は、図３のフローチャートでステップＰ１４として示した、共有フォルダ管理データの共有フォルダ管理テーブルへの登録処理の詳細を説明するフローチャートである。
【００４７】
まず、共有フォルダ管理テーブルから１つの共有フォルダを読み出す（ステップＰ２１）。スキャナ１２で読み取られた新規の共有データを記録した共有フォルダが共有フォルダ管理テーブルへ登録済みか否かを判定し（ステップＰ２２）、登録済みでない場合は、新規の共有データを記録した共有フォルダについて共有フォルダ管理テーブルへ登録、電源状態をＯＮにセット、電源ＯＦＦ時刻を消去し、送信回数を０にセットし（ステップＰ２３）、ステップＰ２６に移る。
【００４８】
ステップＰ２２の判定で登録済みの場合は、その登録済みの共有フォルダについて共有フォルダ管理テーブル上の電源状態の記録がＯＦＦか否かを判定し（ステップＰ２４）、電源状態がＯＦＦでないときは、電源状態をＯＮに記録し、電源ＯＦＦ時刻を消去し（ステップＰ２５）、ステップＰ２６に移る。ステップＰ２４の判定で電源状態がＯＦＦのときは、直ちにステップＰ２６に移る。
【００４９】
ステップＰ２６では、全ての共有フォルダについての処理の終了を判定し、処理が終了していないときはステップＰ２１に移る。また、処理が終了しているときは主ルーチンに戻る。
【００５０】
図５は、図３のフローチャートでステップＰ１５として示した、共有フォルダ管理データの共有フォルダ管理テーブルからの削除処理の詳細を説明するフローチャートである。
【００５１】
まず、共有フォルダ管理テーブルから１つの共有フォルダを読み出す（ステップＰ３１）。共有フォルダを検索して得られた共有データが、共有フォルダ管理テーブルに記録されているか否かを判定し（ステップＰ３２）、記録されていない場合は、その共有フォルダ管理テーブル上での記録が、電源状態ＯＦＦとして記録されているか否かを判定し（ステップＰ３３）、電源状態ＯＦＦとして記録されていない場合は、電源状態ＯＦＦを記録し、電源ＯＦＦ時刻ＴＯＦＦ  に現在時刻ＴＮＯＷ  を記録し（ステップＰ３４）、ステップＰ３８に移る。ステップＰ３２の判定で、検索して得られた共有データが共有フォルダ管理テーブルに記録されている場合は、直ちにステップＰ３８に移る。
【００５２】
ステップＰ３３の判定で共有フォルダ管理テーブル上での記録が、電源状態ＯＦＦとして記録されている場合は、データを特定のＰＣに送信するときの共有フォルダ管理テーブルの所定の検索周期Ｔ２  と送信回数ｎに基づいて、所定時間ＴＥ  （ＴＥ  ＝Ｔ２  ×ｎ）を求める（ステップＰ３５）。
【００５３】
データ送信先を選択した回数が所定回数ｎを越えたとき、送信先ＰＣが電源ＯＦＦとされた時刻ＴＯＦＦ  から現在時刻ＴＮＯＷ  までの経過時間（ＴＮＯＷ  −ＴＯＦＦ  ）が所定時間ＴＥ  （ＴＥ  ＝Ｔ２  ×ｎ）を越えているか否かを判定し（ステップＰ３６）、越えている場合（ＴＮＯＷ  −ＴＯＦＦ  ）＞（ＴＥ  ＝Ｔ２  ×ｎ）は、共有フォルダ管理テーブルからそのＰＣの記録を削除する（ステップＰ３７）。ステップＰ３６の判定で、越えていない場合は、直ちにステップＰ３８に移る。
【００５４】
即ち、データ送信先を選択した回数が所定回数ｎを越えたとき、送信先ＰＣが電源ＯＦＦとされた時刻ＴＯＦＦ  から現在時刻ＴＮＯＷ  までの経過時間が、所定時間ＴＥ  よりも長時間になったときは、送信先ＰＣへ送信しようとする試みを取り止め、共有フォルダ管理テーブルからそのＰＣの記録を削除する。
【００５５】
ステップＰ３８では、全ての共有フォルダについての処理の終了を判定し、処理が終了していないときはステップＰ３１に移る。また、処理が終了しているときは主ルーチンに戻る。
【００５６】
上記した実施も形態には、以下に記載する発明も含まれる。
【００５７】
（１）前記ネットワーク情報処理装置は、更にデータ送信先を選択する選択手段を備え、前記表示手段は前記選択手段によるデータ送信先の選択時に前記比較結果を表示することを特徴とする請求項１記載のネットワーク情報処理装置。
【００５８】
（２）前記ネットワーク情報処理装置は、データ送信先の選択時には前記検索手段による共有フォルダの検索を行う第１の所定時間よりも短い第２の所定時間毎に共有フォルダの検索を行うことを特徴とする請求項１記載のネットワーク情報処理装置。
【００５９】
（３）前記ネットワーク情報処理装置は、データ送信先として検索不可能な送信先が選択されたときは、前記検索手段による共有フォルダの検索を行う第１の所定時間よりも短い第２の所定時間毎に共有フォルダの検索を行うことを特徴とする請求項１記載のネットワーク情報処理装置。
【００６０】
（４）前記ネットワーク情報処理装置は、データ送信先を選択した回数を記憶する手段を有し、送信先が選択された回数が所定回数を越えたときは、前記第２の所定時間よりも長い時間連続して共有フォルダの検索が不可能となったとき、共有フォルダから当該送信先の記録を削除し、表示を中止することを特徴とする請求項１記載のネットワーク情報処理装置。
【００６１】
【発明の効果】
以上詳細に説明したとおり、この発明は、ネットワークを介して接続されている複数の情報処理装置（ＰＣ）の共有フォルダを検索し、前回の共有フォルダの検索結果と今回の共有フォルダの検索結果とを比較して、比較結果が異なるときその異なる状態を表示するものであり、所定時間が経過する毎に検索して比較結果を判定するが、この間に送信先のＰＣの電源の状態（電源ＯＮ／ＯＦＦ）が変化したとき、その電源の状態や送信可能か送信不可能かの状態も表示するようにしたものである。
【００６２】
このようなネットワークに接続されたＰＣに関する表示を参照することで、データ送信前にどのＰＣへの送信が可能で、どのＰＣへの送信が不可能かを知ることができ、ネットワークに接続されたＰＣ間での情報処理を効率的に行うことができる。
【図面の簡単な説明】
【図１】この発明の実施の形態のネットワーク情報処理装置の構成を説明するブロック図。
【図２】ＭＦＰの構成を説明するブロック図。
【図３】ＭＦＰで実行される共有フォルダの管理テーブルへの登録処理及び削除処理を説明するフローチャート。
【図４】共有フォルダ管理データの共有フォルダ管理テーブルへの登録処理の詳細を説明するフローチャート。
【図５】共有フォルダ管理データの共有フォルダ管理テーブルからの削除処理の詳細を説明するフローチャート。
【図６】共有フォルダ管理テーブルの一例を説明する図。
【符号の説明】
１１  ＭＦＰ（複合装置）
１２  スキャナ
１５、１６、１７  ＰＣ
２１  システムコントローラ
２２  画像処理制御部
２３  画像処理部
２４  時計
２５  スキャナ制御部
２６  記憶装置
２７  メモリ
２８  通信部
２９  操作／表示部
【図１】
2004348337.tif 000003
【図２】
2004348337.tif 000004
【図３】
2004348337.tif 000005
【図４】
2004348337.tif 000006
【図５】
2004348337.tif 000007
【図６】
2004348337.tif 000008